(57)【要約】【課題】鼻隠に取り付けられる樋吊り具において、軒樋のがたつきや脱落を抑制できる樋吊り具を提供する。【解決手段】本発明の樋吊り具３は、鼻隠１１の前面に固定される固定部４１と、この固定部４１から前方に向かって突出する吊部４４とを備える。吊部４４は、角樋２の後壁２１の内面を支持する支持部６を有している。後保持部５はこの支持部６の上端部に設けられている。固定部４１には、支持部６における角樋２への当接部６１と後保持部５３との間で、後壁２１を支持部６側に押し当てる突部４３が設けられている。【選択図】図１
2015132082.tif 000002
【特許請求の範囲】
【請求項１】
鼻隠の前面に固定される固定部と、
この固定部から前方に向かって突出し、角樋の前壁上端を保持する前保持部および後壁上端を保持する後保持部を有する吊部と
を備えた樋吊り具であって、
前記吊部は、
前記角樋が前記前保持部および前記後保持部に保持された状態で前記角樋の後壁の内面を支持する支持部
を有しており、
前記後保持部はこの支持部の上端部に設けられ、
前記固定部には、前記支持部における前記角樋への当接部と前記後保持部との間で前記角樋の後壁を前記支持部側に押し当てる突部が設けられている
ことを特徴とする樋吊り具。
【請求項２】
前記突部の下端部には、下方に向かうほど前記当接部から離れるように傾斜したテーパ部が設けられている
ことを特徴とする請求項１記載の樋吊り具。
【発明の詳細な説明】
【技術分野】
【０００１】
本発明は、軒樋を吊持するための樋吊り具に関する。
【背景技術】
【０００２】
特許文献１には、従来の樋吊り具が開示されている。この特許文献１記載の軒どい用吊り具は、鼻隠しに固定される固定部分と、この固定部分から突出した吊り部分とを備えている。軒どい用吊り具は、吊り部分の先端に張出側係止部が設けられ、固定部分に家屋側係止部が設けられている。
【０００３】
軒どいの家屋側の側壁（以下、後壁）の上端には、家屋側耳部が設けられている。家屋側耳部は、軒どいの後壁の後面から家屋側に向かって突出しており、張出側係止部に引っ掛けられるように構成されている。
【０００４】
また、この軒どい用吊り具は、軒どいの内面に当たる支承片を有しおり、これにより、軒どいの変形や脱落、がたつきを防ごうとするものである。
【先行技術文献】
【特許文献】
【０００５】
【特許文献１】実開平５−４０４６４号公報
【発明の概要】
【発明が解決しようとする課題】
【０００６】
しかしながら、この軒どい用吊り具は、家屋側耳部が、固定部分側に設けられた張出側係止部に乗せられたものである上に、支承片が軒どいの内面の位置を規制するものに過ぎない。このため、軒どいの下端部に家屋側に向かう外力が掛かった場合には、軒どいの上端が家屋側とは反対側に移動するように変形しやすい。この場合、軒どいの脱落やがたつきが生じる場合があった。
【０００７】
本発明は、上記事情に鑑みてなされたものであり、その目的とするところは、鼻隠に取り付けられる樋吊り具において、軒樋のがたつきや脱落を抑制できる樋吊り具を提供することにある。
【課題を解決するための手段】
【０００８】
本発明の樋吊り具は、鼻隠の前面に固定される固定部と、この固定部から前方に向かって突出し、角樋の前壁上端を保持する前保持部および後壁上端を保持する後保持部を有する吊部とを備えた樋吊り具であって、前記吊部は、前記角樋が前記前保持部および前記後保持部に保持された状態で前記角樋の後壁の内面を支持する支持部を有しており、前記後保持部はこの支持部の上端部に設けられ、前記固定部には、前記支持部における前記角樋への当接部と前記後保持部との間で前記角樋の後壁を前記支持部側に押し当てる突部が設けられていることを特徴とする。
【０００９】
また、本発明の樋吊り具は、前記突部の下端部には、下方に向かうほど前記当接部から離れるように傾斜したテーパ部が設けられていることが好ましい。
【発明の効果】
【００１０】
本発明の樋吊り具によれば、角樋の後壁が、後保持部および支持部と、突部とで保持されるため、角樋を強固に固定することができ、軒樋のがたつきや脱落を抑制することができる。
【図面の簡単な説明】
【００１１】
【図１】実施形態１の軒樋の取付構造の断面図である。
【図２】（ａ）〜（ｄ）は、実施形態１の角樋の取り付け方法を示す断面図である。
【図３】従来の樋吊り具の断面図である。
【図４】実施形態２の軒樋の取付構造の断面図である。
【発明を実施するための形態】
【００１２】
以下、本発明の実施形態について添付図面に基づいて説明する。
【００１３】
実施形態１の樋吊り具３は、図１に示すように、軒下の鼻隠１１に取り付けられて角樋２からなる軒樋（以下、単に角樋２という）を支持するものである。鼻隠１１は、屋根面に直交した横板である。鼻隠１１は、左右方向に長さを有し、屋根面とは直角な方向に幅を有している。鼻隠１１の幅方向は、下方に向かうほど建物側（屋内側）に向かうように傾斜している。
【００１４】
角樋２は、軒先に取り付けられる軒樋である。角樋２は、例えば、ガルバリウム鋼板（登録商標）などの鋼板や、合成樹脂などにより構成される。なお、角樋２は、鋼板や合成樹脂に限らず、合成樹脂に金属板をインサート成形したものであってもよい。
【００１５】
角樋２は、左右方向（軒方向）に長さを有している。また、角樋２は、後壁２１と、後壁２１の下端から前方に向かって延出した底壁２３と、底壁２３の前端から上方に向かって延出した前壁２２とを備えている。前壁２２は、上方に向かうほど前方に位置するように傾斜している。また底壁２３は、前方に向かうほど下方に位置するように傾斜している。後壁２１と底壁２３と前壁２２とは、一体に成形されている。
【００１６】
後壁２１の上端には、後耳部２４が設けられている。また、前壁２２の上端には、前耳部２５が設けられている。前耳部２５および後耳部２４は、樋吊り具３に保持される。前耳部２５は、前壁２２の上端が略三角形状に折り曲げられて形成されている。後耳部２４は、後壁２１の上端が前方に折り曲げられ、さらにその先端が下方に折り曲げられており、つまり、後壁２１の上端が折り返されて形成されている。
【００１７】
樋吊り具３は、角樋２を支持する。樋吊り具３は、吊り具本体４と、保持部５と、支持部６とを備えている。吊り具本体４と保持部５と支持部６とは、例えば、合成樹脂により一体成形されている。なお、樋吊り具３は、例えば、金属製の樋吊り具であってもよく、合成樹脂により形成されたものに限定されない。
【００１８】
吊り具本体４は、鼻隠１１の前面に固定され、これにより鼻隠１１に取り付けられる。吊り具本体４は、固定部４１と、吊部４４とを備えている。
【００１９】
固定部４１は、鼻隠１１の前面に固定される。固定部４１は、上下方向に長さを有し、左右方向に幅を有し、正面視矩形状をしている。固定部４１は、鼻隠１１の前面に固定されると、鼻隠１１の前面の傾斜に沿うように傾斜する（つまり、下方に向かうほど建物側に位置するように傾斜する）。固定部４１には、固着具挿通孔（図示せず）が複数箇所に設けられている。固定部４１は、固着具挿通孔に固着具を通した上で、当該固着具を鼻隠１１に打ち込むことで、鼻隠１１に固定される。
【００２０】
固定部４１の下端部には、テーパ部４２と、突部４３とが設けられている。テーパ部４２は、突部４３の下端部に設けられている。テーパ部４２は、下方に向かうほど固定部４１の後面に近づくように傾斜した面である。言い換えると、テーパ部４２は、下方に向かうほど、支持部６から離れるように傾斜した面である。テーパ部４２は、支持部６との間に角樋２の後壁２１を通すための隙間を形成するために設けられている。
【００２１】
突部４３は、固定部４１の前面から前方に向かって突出している。突部４３の下面は、下方に向かうほど固定部４１の後面に近づくように傾斜し、これにより、テーパ部４２と連続している。突部４３は、後述の後保持部５３に保持された角樋２の後壁２１上端が脱落するのを防ぐ。
【００２２】
吊部４４は、固定部４１から前方に向かって突出している。吊部４４は、前後方向に長さを有し、左右方向に幅を有している。吊部４４の長さ方向は、固定部４１の前面に直交している。これにより、吊部４４の長さ方向は、固定部４１が鼻隠１１に固定されると、前側に向かうほど下方に位置するように傾斜する。また、吊部４４の前側の端部には、ガイド部４６が形成されている。ガイド部４６は、角樋２を取り付ける際に、角樋２の前耳部２５を前保持部５１に導入しやすくさせる。
【００２３】
このような構成の吊り具本体４には、角樋２を吊持するための保持部５が設けられる。保持部５は、角樋２の前壁２２上端と後壁２１上端とを保持する。本実施形態の樋吊り具３は、保持部５として、前保持部５１と、後保持部５３とを備えている。
【００２４】
前保持部５１は、吊部４４の長さ方向の前側の端部（すなわち、吊部４４の先端）に設けられている。前保持部５１は、角樋２の前壁２２上端に設けられた前耳部２５を保持する。前保持部５１は、吊部４４の先端から上方に向かって突出した係止爪５２によって構成されている。
【００２５】
後保持部５３は、支持部６の上端部に設けられている。後保持部５３は、角樋２の後壁２１上端に設けられた後耳部２４を保持する。後保持部５３は、後耳部２４が載置される載置面５４と、載置面５４の後端から突出した突起５５とを備えている。
【００２６】
なお、ここで言う「吊部４４の基部４５」とは、吊部４４に直接設けられたものだけでなく、吊部４４の固定部４１側の端部に、支持部６を介して設けられたものも含む。すなわち、「吊部４４の基部４５」とは、吊部４４の固定部４１側の端部の近傍の部分として定義される。
【００２７】
また、吊り具本体４には、角樋２の後壁２１内面を支持する支持部６が設けられている。支持部６は、吊部４４の固定部４１側の端部から下方に向かって突出している。支持部６は、前保持部５１と後保持部５３とに角樋２が保持されると、角樋２の後壁２１の内面に当たるように構成されている（この角樋２の内面に当接する箇所を当接部６１という）。支持部６は、傾斜した鼻隠１１に樋吊り具３が固定され、当該樋吊り具３に角樋２が取り付けられると、角樋２の後壁２１の内面を支持する。支持部６は、角樋２を支持できる強度を確保するために、上方に向かうほど前後方向の厚さが大きくなるように形成されている。
【００２８】
支持部６には、固定部４１に設けられた突部４３と対向する箇所に凹所６２が設けられている。凹所６２と突部４３との間の間隙が、角樋２の後耳部２４を挿通するための挿通路７となる。挿通路７において、当接部６１は、突部４３の頂点よりも、角樋２の後壁２１の厚み寸法だけ前方に位置するように形成されている。また、突部４３は、上下方向に見て、当接部６１と後保持部５３との間に設けられている。これにより、後保持部５３に後耳部２４が取り付けられると、突部４３は、当接部６１と後保持部５３との間で角樋２の後壁２１を支持部６側に押し当てるよう構成されている。この結果、角樋２の後耳部２４が、後方に移動しようとしても突部４３に移動規制され、後保持部５３から脱落しにくくなり、がたつきも抑制される。
【００２９】
このような構成の樋吊り具３は、鼻隠１１に取り付けられる。鼻隠１１は、下方に向かうほど建物側に位置するように傾斜している。この鼻隠１１の前面に固着具を介して固定部４１が固定されると、吊部４４が前方に向かうほど下方に位置するように傾斜する（図２（ａ））。
【００３０】
鼻隠１１に取り付けられた樋吊り具３には、角樋２が取り付けられる。施工者は、角樋２の前壁２２を後壁２１よりも下方に位置させた状態で、後壁２１を挿通路７に通す（図２（ａ））。図２（ｂ）に示すように、角樋２の後耳部２４が凹所６２の上側の斜面に当たるが、施工者は、この状態から角樋２を上方に押し込む。すると、角樋２が樋吊り具３に当たって弾性変形し（図２（ｃ））、さらに施工者が押し込むことで、後耳部２４が後保持部５３に保持される。この後、施工者は、前耳部２５を上方に向かって押し上げ、前耳部２５を前保持部５１に保持させる（図２（ｄ））。
【００３１】
この状態では、角樋２の後壁２１の内面に支持部６の当接部６１が当たり、これにより、支持部６が角樋２の後壁２１の内面を支持する。そして、角樋２は、後壁２１が鼻隠１１に沿って近接するように配置される。
【００３２】
以上説明したように、本実施形態の樋吊り具３は、固定部４１と、吊部４４とを備えている。固定部４１は、鼻隠１１の前面に固定される。吊部４４は、この固定部４１から前方に向かって突出しており、角樋２の前壁２２上端を保持する前保持部５１および後壁２１上端を保持する後保持部５３を有する。吊部４４は、角樋２が前保持部５１および後保持部５３に保持された状態で角樋２の後壁２１の内面を支持する支持部６を有している。後保持部５３はこの支持部６の上端部に設けられている。固定部４１には、支持部６における角樋２への当接部６１と後保持部５３との間で角樋２の後壁２１を支持部６側に押し当てる突部４３が設けられている。
【００３３】
このため、本実施形態の樋吊り具３は、支持部６によって角樋２の後壁２１の内面を支持することができ、さらに、その反対側から突部４３によって支持部６に押し当てることができるため、角樋２の後壁２１を強固に保持することができる。これにより、角樋２に負圧が掛かって前後方向に外力が負荷されても、角樋２ががたついたり、脱落したりするのを防ぐことができる。
【００３４】
また、本実施形態の樋吊り具３は、突部４３の下端部には、下方に向かうほど当接部６１から離れるように傾斜したテーパ部４２が設けられている。
【００３５】
このため、本実施形態の樋吊り具３によれば、支持部６が下方に突出しているにもかかわらず角樋２の装着がし易い。この結果、支持部６を吊部４４に対して一体成形によって形成することができ、支持部６の強度を強くすることができる。
【００３６】
ところで、従来の樋吊り具３を傾斜する鼻隠１１に直接取り付けた場合、従来の樋吊り具には支持部６が設けられていないため、角樋２は前保持部５１を中心に後壁２１部側が下方に回転しようとする。つまり、従来の樋吊り具３によれば、角樋２に対し、自重による鉛直下方への力だけでなくモーメントが掛かるため、角樋２が脱落しやすい。また、降雪時には、図３に示すように、屋根１から滑り落ちた雪が角樋２の前壁２２側に堆積しやすいが、このとき、雪の荷重により、後壁２１に前側に向かう引張り荷重が作用する。すなわち、従来の樋吊り具３によれば、角樋２は変形してしまいやすいという問題もある。
【００３７】
これに対し、本実施形態の樋吊り具３は、支持部６が角樋２の後壁２１の内面を支持するため、積雪による角樋２の変形も防止することができる。しかも、支持部６が吊部４４に一体成形されているため、支持部６の強度が高く、より一層、角樋２の変形を防止することができる。
【００３８】
この結果、本実施形態の樋吊り具３によれば、角樋２の脱落を防止した状態で、傾斜する鼻隠１１に直接取り付けることができる。
【００３９】
次に、実施形態２について図４に基づいて説明する。なお、本実施形態は実施形態１と大部分において同じであるため、同じ部分においては同符号を付して説明を省略し、主に異なる部分について説明する。
【００４０】
本実施形態の樋吊り具は、実施形態１の樋吊り具３と同じものが用いられる。本実施形態の軒樋の取付構造は、鼻隠１２が鉛直に形成されている点で、実施形態１の取付構造とは異なっている。
【００４１】
樋吊り具３は、鼻隠１２に取り付けられて角樋２を支持するものである。樋吊り具３は、固定部４１と、吊部４４とを備えている。吊部４４は支持部６を有している。支持部６は、の上端部には後保持部５３が設けられている。固定部４１には、突部４３が設けられている。この突部４３は、当接部６１と後保持部５３との間で角樋２の後壁２１を支持部６側に押し当てる。
【００４２】
このように、本実施形態の樋吊り具３によれば、角樋２の後壁２１の内面側を、当接部６１と後保持部５３とで支持し、後壁２１の外面側を、突部４３によって、当接部６１と後保持部５３との間で支持部６側に押し当てることができる。このため、強固に角樋２を保持することができ、この結果、風等により角樋が屋内側や屋外側に向かって力を受けても、がたつきや脱落を抑制することができる。
【００４３】
また、実施形態１，２の吊部４４は、直線状に近い形状をしていたが、図３に示された従来の吊部のように、長さ方向の中間で屈曲させて、先端側が、先端に向かうほど上方に位置するように傾斜していてもよい。また、角樋２の前壁２２の上端や後壁２１の上端の形状は特に限定されない。
【符号の説明】
【００４４】
１      屋根
１１    鼻隠
１２    鼻隠
２      角樋
２１    後壁
２２    前壁
２４    後耳部
２５    前耳部
３      樋吊り具
４      吊り具本体
４１    固定部
４２    テーパ部
４３    突部
４４    吊部
４５    基部
４６    ガイド部
５      保持部
５１    前保持部
５３    後保持部
６      支持部
６１    当接部
【図１】
2015132082.tif 000003
【図２】
2015132082.tif 000004
【図３】
2015132082.tif 000005
【図４】
2015132082.tif 000006